(57)【要約】【課題】円板付きの筒体にゴルフティーを挿入して地面に差しこみ、希望するティーアップの高さを円板の位置によって設定し、且つ打球によってティーが飛散し紛失することを予防する、ゴルフティーの高さと飛散防止具を提供する。【解決手段】円板の中央部に先細りの筒体を一体化して置き、予め希望するティーアップの高さになるように円板と筒体の位置を設定してゴルフティーを挿入し、円板が接地する位置までティーを地面に差し込んで以後その高さを再現させると共に、打球した時点で飛び跳ねたティーが円板面に受けた風圧によって失速して落下し、不特定の遠方への飛散を予防する事を特徴とするゴルフティーの飛散防止具。【選択図】  図１
2005305058.tif 000002
【特許請求の範囲】
【請求項１】
上部開口部からゴルフティーを圧入できるように形成された筒体と、この筒体が垂直に自立できるように筒体の下部開口部周縁に形成された支持板とからなるゴルフティーの飛散防止具。
【発明の詳細な説明】
【技術分野】
【０００１】  本発明は、地面上に置くゴルフボールの高さを設定し、同時に打球時にティーが飛散する事を抑制する、ゴルフティーの飛散防止具に関するものである。
【背景技術】
【０００２】  従来、ゴルフボールのティーアップの高さを決める方法は、ティーの首下に挿入した指先で感覚的に推定するか又は段付きや長さの違うティーを用いて接地の目安とするか、或いはゴルフクラブのフェースを沿わせて高さを決めていた。又、ゴルフティーの飛散防止具としては、その一部に紐を付けておいて同類の他のティーと結んで双方を地面に埋め込み、片方が打球によって飛散しても他方のティーによって残留させる目的の飛散防止具があった。またティーの支柱の中間部に蝶番機能をつけたりゴム状の柔軟な物質で構成して折れ曲がる機能を賦与したものや、篭状の軽量なボールの置台を用いて飛散防止を目指したものがあった。
【発明の開示】
【発明が解決しようとする課題】
【０００３】  そのために、次のような問題点があった。
（イ）指先や目視感覚でティーの設定高さを決める方法は簡便ではあるが一定せず、その都度高さのばらつきが出る為に不正確であった。また段付きのティーは差しこみ深さが決まりにくく基本的に指先の感覚に頼らざるを得ず気休めに過ぎなかった。
（ロ）飛散防止用の紐付きティーは１回のティーショットのたびに２個のティーを地面に差し込まなければならず、また打球のたびに紐が空中を飛び回る危険性があり打球動作に支障を与えかねなかった。また２個同時に飛散した場合には紛失する事があった。
（ハ）ゴルフ競技規則によれば、ティーショットに際してその打球方向を示唆したり打球場所を改善する惧れのあるものは打球時に使用してはならないと定められているが、打球方向を示すような紐の扱い方も出来るこの方法はゴルフ規則に違反する可能性があり、紐付きティーの使用には疑義を持たれていた。
（ニ）柔軟で可撓性を持つティーはよほど柔らかい地面でない限り地中に差し込みにくく、また柔軟なために直立性が保ちにくいために不安定であり違和感があった。また頭部が伸縮し或いは折れ曲がるティーは差しこみが安定せず、地面を擦るような打球をした時には反発力により十数メートルも飛散することもあった。
【課題を解決するための手段】
【０００４】  上部開口部からゴルフティーを圧入できるように形成された筒体と、この筒体が垂直に自立できるように筒体の下部開口部周縁に形成された支持板とからなるゴルフティーの飛散防止具。
【発明の効果】
【０００５】  ティーアップするボールの高さはゴルフプレイヤーにとって重要なテーマであるが、ティーに付属した円板が接地するまで差しこむのみでボールの高さを常に安定して設定できる事は大きな利益である。即ち、円板とティーの上端の距離はボールの高さと同義語であるから、外周の目盛りを目安にして必要な長さに筒体を切りティーの首下まで挿入すればよい。また、短い筒体の場合はティー上の希望する所まで円板の位置を移動してボールの高さを設定すればよい。このティーを使用してゴルフボールを打球する時にティーは一旦空中に飛び上がろうとするけれども、ティーに付属した円板の表面には瞬間的に大きな風圧がかかるため、遠方に飛散する力が抵抗を受けて押さえ込まれて直ちに目前の地面に落ちるので、ティーが不特定の方向に飛散して紛失する事を防止出来る。従って打球のたびに飛散したティーの行方を探す必要はなく打者の目前の範囲内で簡単に拾得出来るので、全体のゴルフプレイを円滑に進行させることが可能となる。最近のように高価な特殊ティーを使用した場合でも探す為に時間を取られることは少なくなる。
【発明を実施するための最良の形態】
【０００６】  以下、本発明の実施の形態について説明する。
（イ）軟質又は半硬質の薄いゴム又はプラスチックの円板（１）の中央にある先細りの        筒体（２）にティー（４）を所定の深さまで押し込む。次いでゴルフボール（６        ）をティー（４）の上に乗せ両者を掌で握り地中に差し込むが、その差し込み深        さは円板（１）の底が地面（５）に接触する時を目安として終了する。
（ロ）地面（５）からゴルフボール（６）迄の高さを正しく設定する為には、ティー（        ４）の首下まで一杯に筒体（２）を挿入した時、所望のボールの高さとなるよう        に筒体（２）の長さを切断して調節する。筒体（２）の外周には切断の目安とな        る目盛り（３）が刻印されている。勿論筒体（２）は極端に短めにしておき挿入        する位置を自在に選択して移動するのみの方式でもよい。いずれにしてもゴルフ        ボールと地面（５）の距離は円板（１）が地面（５）に接触した時点で確認され        るからボールの高さは容易に再現できる。ゴルフティー（４）には種々の材質や        太さや長さのものがあるが、それらの何れにも柔軟に適合し得るように筒体（２        ）の素材は伸縮性と弾力性及び耐久性を持つものとする。
（ハ）打球した時の衝撃に伴いティー（４）は筒体（２）から脱落しようとするけれど        も、筒体（２）は伸縮性がありその内壁に圧入され緊縮固定されているのでティ        ー（４）は抜け落ちにくい。また円板（１）と筒体（２）の素材は柔軟で薄いゴ        ム又はプラスチックで出来ているため、打球によって衝撃が与えられた場合でも        他に衝撃を波及しないのでゴルフクラブやプレイヤーに対して安全である。なお        円板（１）の直径は接地が十分に確認できる大きさとしプレイヤーに視覚的な影        響や違和感を与えない大きさが好ましく、例えば５００円硬貨程度の大きさと厚        みが適当である。
（ヘ）円板（１）と筒体（２）の色は地面や芝生との識別をし易くするために白色、赤        色、黄色、ピンク色などが適当であり、形状も円板にこだわらない。又円板面に        は記名や模様を入れることが出来る。勿論円板や筒状部の大きさや厚みは自在に        設定する事が出来る。
本発明は以上のような構成で、これを使用するときは、ティー（４）を筒体（２）の先端から希望する深さまで挿入し、ゴルフボール（６）をティー（４）の上部に乗せ指先と掌で一括して握ってティー（４）の先端を地面（５）に突き刺す。希望する地面（５）への挿入深さは円板（２）が地面（５）に接触した時点で完了するが、逆にそれに合わせて円板（１）の位置を調整してもよい。このあと打球されると高速に弾かれたティー（４）は飛び跳ねようとするが、その瞬間に円板（１）の表面に風圧がかかり急速に失速するため直ちに地面に落下し、プレイヤーの目視範囲内に落ちるので容易に拾う事が出来る。なおティーに触れないで打球をした場合にはティーが差しこまれた元の位置に残っている事は勿論である。この様にゴルフティーの高さ設定と飛散防止は本発明によって同時に達成される。
【実施例１】
【０００７】  図３に示す様に、円板（１）の代わりに鉢状の円錐板（７）を用いても良い。この場合ティー（４）の装着方法は円板付きの筒体（２）の場合と同様であるがティー（４）を地面に差し込む時に多少邪魔になる事がある程度で、打球後の飛散防止効果は同じである。そのほか、筒体は円筒状だけでなく角筒型状や脚柱型状も可能である。
【図面の簡単な説明】
【０００８】
【図１】本発明の斜視図
【図２】本発明の断面図
【図３】本発明の他の実施例を示す斜視図
【符号の説明】
【０００９】１．１ａ  円板
２．２ａ．２ｂ  筒体
３  目盛り
４  ティー
５  地面
６  ゴルフボール
７  円錐板
【図１】
2005305058.tif 000003
【図２】
2005305058.tif 000004
【図３】
2005305058.tif 000005